(57)【要約】【課題】種類の異なる複数のＴＶチューナが適切に実装されたＴＶキャプチャユニットおよび情報処理装置を提供する。【解決手段】ＴＶキャプチャユニット１４０において、配線基板１４３には、デジタルＴＶチューナを有するＰＣＩデバイス１４１およびアナログＴＶチューナを有するＰＣＩデバイス１４２が実装され、ＭｉｎｉＰＣＩスロット２０のピン群に対応するように設けられた端子群と、これら端子群の一部とＰＣＩデバイス１４１，１４２とを接続する配線とが配設されている。当該配線は、ＭｉｎｉＰＣＩスロット２０に採用されているＭｉｎｉＰＣＩ規格のピンアサインにおいて特定の信号が割り当てられていない未使用ピンに対応する端子、もしくはＴＶチューナの動作に無関係の信号が割り当てられているピンに対応する端子と、ＰＣＩデバイス１４１とを接続する信号線を含む。【選択図】      図３
2008118206.tif 000002
【特許請求の範囲】
【請求項１】
所定のバスに接続される１つのバススロットに挿脱可能なＴＶキャプチャユニットであって、
第１のＴＶチューナを備え、前記バスとの通信のためのインタフェース機能を有する第１のデバイスと、
第２のＴＶチューナを備え、前記バスとの通信のためのインタフェース機能を有する第２のデバイスと、
前記第１のデバイスおよび前記第２のデバイスが実装され、前記バススロットのピン群に対応するように設けられた端子群と、前記端子群の一部と前記第１のデバイスおよび前記第２のデバイスとを接続する配線とを有する配線基板と
を具備し、
前記配線は、前記バススロットに採用されているインタフェース規格のピンアサインにおいて特定の信号が割り当てられていない未使用ピンに対応する端子、もしくはＴＶチューナの動作に無関係の信号が割り当てられているピンに対応する端子と、前記第１のデバイスおよび前記第２のデバイスのいずれか一方とを接続する信号線とを含むことを特徴とするＴＶキャプチャユニット。
【請求項２】
前記第１のデバイスは、デジタルＴＶ放送信号の受信が可能なＴＶチューナを有するものであり、
前記第２のデバイスは、アナログＴＶ放送信号の受信が可能なＴＶチューナを有するものであることを特徴とする請求項１記載のＴＶキャプチャユニット。
【請求項３】
前記信号線は、ポイント・ツー・ポイント接続を実現する信号線であることを特徴とする請求項１記載のＴＶキャプチャユニット。
【請求項４】
前記インタフェース規格は、ｍｉｎｉＰＣＩ規格であることを特徴とする請求項１記載のＴＶキャプチャユニット。
【請求項５】
前記信号線は、RESERVED用のピンに対応する端子、WCHDAT/RES用のピンに対応する端子、もしくはWCHDAT/RES用のピンに対応する端子に接続された信号線を含むことを特徴とする請求項１記載のＴＶキャプチャユニット。
【請求項６】
システム基板と、
前記システム基板上の所定のバスに接続される１つのバススロットと、
バススロットに挿脱可能なＴＶキャプチャユニットと
を具備する情報処理装置であって、
前記ＴＶキャプチャユニットは、
第１のＴＶチューナを備え、前記バスとの通信のためのインタフェース機能を有する第１のデバイスと、
第２のＴＶチューナを備え、前記バスとの通信のためのインタフェース機能を有する第２のデバイスと、
前記第１のデバイスおよび前記第２のデバイスが実装され、前記バススロットのピン群に対応するように設けられた端子群と、前記端子群の一部と前記第１のデバイスおよび前記第２のデバイスとを接続する配線とを有する配線基板とを具備し、
前記配線は、前記バススロットに採用されているインタフェース規格のピンアサインにおいて特定の信号が割り当てられていない未使用ピンに対応する端子、もしくはＴＶチューナの動作に無関係の信号が割り当てられているピンに対応する端子と、前記第１のデバイスおよび前記第２のデバイスのいずれか一方とを接続する信号線とを含むことを特徴とする情報処理装置。
【請求項７】
前記第１のデバイスは、デジタルＴＶ放送信号の受信が可能なＴＶチューナを有するものであり、
前記第２のデバイスは、アナログＴＶ放送信号の受信が可能なＴＶチューナを有するものであることを特徴とする請求項６記載の情報処理装置。
【請求項８】
前記信号線は、ポイント・ツー・ポイント接続を実現する信号線であることを特徴とする請求項６記載の情報処理装置。
【請求項９】
前記インタフェース規格は、ｍｉｎｉＰＣＩ規格であることを特徴とする請求項６記載の情報処理装置。
【請求項１０】
前記信号線は、RESERVED用のピンに対応する端子、WCHDAT/RES用のピンに対応する端子、もしくはWCHDAT/RES用のピンに対応する端子に接続された信号線を含むことを特徴とする請求項６記載の情報処理装置。
【発明の詳細な説明】
【技術分野】
【０００１】
本発明は、テレビ放送信号の受信が可能なＴＶキャプチャユニットおよび同ユニットを備えた情報処理装置に関する。
【背景技術】
【０００２】
各種の情報処理装置（パーソナルコンピュータ等）の中には、ＴＶチューナを搭載しているものがある。ＴＶチューナは、ノートブック型などの比較的小型のコンピュータにおいては、ＭｉｎｉＰＣＩ（Peripheral Component Interconnect）規格に準拠するデバイスとして実現されることが多い。
【０００３】
なお、ＭｉｎｉＰＣＩに関する技術には、種々なものがある。例えば、特許文献１には、ＭｉｎｉＰＣＩを装着するためのＭｉｎｉＰＣＩコネクタが、ＰＣＩバスに接続されると共に、ＡＣ−ＬＩＮＫを通じてＩ／Ｏブリッジ（コアチップ）にも接続されているコンピュータシステムが開示されている。
【特許文献１】特開２００３−４４４２２号公報
【発明の開示】
【発明が解決しようとする課題】
【０００４】
ところで、種類の異なる複数のＴＶチューナ（例えば、地上デジタルＴＶチューナおよび地上アナログＴＶチューナ）をそれぞれＭｉｎｉＰＣＩ規格に準拠するデバイスとして一台の情報処理装置に搭載させる場合、一般に、ＴＶチューナの数と同数のＭｉｎｉＰＣＩスロットを設け、さらに、これらのスロットにそれぞれ複数のＴＶチューナカード（もしくはキャプチャカード）を装着させる。しかしながら、そのような場合、複数のＴＶチューナカード等が占める実装面積や製造コストなどが増大することになるため、小型化を目指す情報処理装置にとっては望ましくない。
【０００５】
本発明は上記実情に鑑みてなされたものであり、種類の異なる複数のＴＶチューナが適切に実装されたＴＶキャプチャユニットおよび情報処理装置を提供することを目的とする。
【課題を解決するための手段】
【０００６】
本発明に係るＴＶキャプチャユニットは、所定のバスに接続される１つのバススロットに挿脱可能なＴＶキャプチャユニットであって、第１のＴＶチューナを備え、前記バスとの通信のためのインタフェース機能を有する第１のデバイスと、第２のＴＶチューナを備え、前記バスとの通信のためのインタフェース機能を有する第２のデバイスと、前記第１のデバイスおよび前記第２のデバイスが実装され、前記バススロットのピン群に対応するように設けられた端子群と、前記端子群の一部と前記第１のデバイスおよび前記第２のデバイスとを接続する配線とを有する配線基板とを具備し、前記配線は、前記バススロットに採用されているインタフェース規格のピンアサインにおいて特定の信号が割り当てられていない未使用ピンに対応する端子、もしくはＴＶチューナの動作に無関係の信号が割り当てられているピンに対応する端子と、前記第１のデバイスおよび前記第２のデバイスのいずれか一方とを接続する信号線とを含むことを特徴とする。
【０００７】
本発明に係る情報処理装置は、システム基板と、前記システム基板上の所定のバスに接続される１つのバススロットと、バススロットに挿脱可能なＴＶキャプチャユニットとを具備する情報処理装置であって、前記ＴＶキャプチャユニットは、第１のＴＶチューナを備え、前記バスとの通信のためのインタフェース機能を有する第１のデバイスと、第２のＴＶチューナを備え、前記バスとの通信のためのインタフェース機能を有する第２のデバイスと、前記第１のデバイスおよび前記第２のデバイスが実装され、前記バススロットのピン群に対応するように設けられた端子群と、前記端子群の一部と前記第１のデバイスおよび前記第２のデバイスとを接続する配線とを有する配線基板とを具備し、前記配線は、前記バススロットに採用されているインタフェース規格のピンアサインにおいて特定の信号が割り当てられていない未使用ピンに対応する端子、もしくはＴＶチューナの動作に無関係の信号が割り当てられているピンに対応する端子と、前記第１のデバイスおよび前記第２のデバイスのいずれか一方とを接続する信号線とを含むことを特徴とする。
【発明の効果】
【０００８】
本発明によれば、種類の異なる複数のＴＶチューナが適切に実装されたＴＶキャプチャユニットおよび情報処理装置を提供することができる。
【発明を実施するための最良の形態】
【０００９】
以下、図面を参照して本発明の実施形態を説明する。
【００１０】
まず、図１および図２を参照して、本発明の一実施形態に係る情報処理装置の構成について説明する。この情報処理装置は、例えば、バッテリ駆動可能なノートブック型の携帯型パーソナルコンピュータ１０として実現されている。
【００１１】
図１は、携帯型パーソナルコンピュータ１０のディスプレイユニットを開いた状態における斜視図である。本コンピュータ１０は、コンピュータ本体１１とディスプレイユニット１２とから構成されている。コンピュータ本体１１内には、各種電子部品を実装されたシステム基板（マザーボードとも云う）が設けられている。システム基板はプリント回路基板（ＰＣＢ）によって実現されている。
【００１２】
ディスプレイユニット１２には、ＬＣＤ（Liquid Crystal Display）１７から構成される表示装置が組み込まれており、そのＬＣＤ１７の表示画面は、ディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタンスイッチ１４およびタッチパッド１５などが配置されている。
【００１４】
図２には、本コンピュータ１０のシステム構成の例が示されている。
【００１５】
本コンピュータ１０には、図２に示されているように、ＰＣＩバス２、ＬＰＣバス３、ＣＰＵ１１１、ノースブリッジ１１２、主メモリ１１３、グラフィクスコントローラ１１４、サウスブリッジ１１６、ＴＶキャプチャユニット（もしくはＴＶチューナユニット）１４０、ハードディスクドライブ（ＨＤＤ）１５０、ＢＩＯＳーＲＯＭ１６０、エンベデッドコントローラ／キーボードコントローラＩＣ（ＥＣ／ＫＢＣ）１７０、電源回路１８０、光ディスクドライブ（ＯＤＤ）１９０等が設けられている。ＣＰＵ１１１、ノースブリッジ１１２、主メモリ１１３、グラフィクスコントローラ１１４、サウスブリッジ１１６、ＢＩＯＳーＲＯＭ１６０、エンベデッドコントローラ／キーボードコントローラＩＣ（ＥＣ／ＫＢＣ）１７０、および電源回路１８０は、システム基板上に実装されている。
【００１６】
ＣＰＵ１１１は本コンピュータ１０の動作を制御するために設けられたプロセッサであり、ハードディスクドライブ（ＨＤＤ）１５０から主メモリ１１３にロードされる、オペレーティングシステム（ＯＳ）および各種アプリケーション／ユーティリティプログラムを実行する。また、ＣＰＵ１１１は、ＢＩＯＳ−ＲＯＭ１６０に格納されたＢＩＯＳ（Basic Input Output System）も実行する。
【００１７】
ノースブリッジ１１２は、ＣＰＵ１１１のローカルバスとサウスブリッジ１１６との間を接続するブリッジデバイスである。ノースブリッジ１１２は、ＡＧＰ（Accelerated Graphics Port）バスなどを介してグラフィクスコントローラ１１４との通信を実行する機能も有している。
【００１８】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａを有しており、ＯＳ／アプリケーションプログラムによってビデオメモリ１１４Ａに書き込まれた映像データからＬＣＤ１７に送出すべき表示信号を生成する。
【００１９】
サウスブリッジ１１６は、ＰＣＩ（Peripheral Component Interconnect）バス２およびＬＰＣ（Low Pin Count）バス３にそれぞれ接続されている。ＰＣＩバス２は、各種デバイス間のデータ転送に使用されるバスである。ＰＣＩバス２は、サウスブリッジ１１６、ノースブリッジ１１２を介して、ＣＰＵ１１１にも電気的に接続されている。ＣＰＵ１１１は、ＰＣＩバス２を介して、ＰＣＩバス２上の各デバイスとの通信を実行することができる。
【００２０】
また、サウスブリッジ１１６は、ＨＤＤ１５０およびＯＤＤ１９０を制御するためのＩＤＥ（Integrated Drive Electronics）コントローラ１１７を備えている。
【００２１】
ＰＣＩバス２上には、１つのＭｉｎｉＰＣＩスロット２０が接続されている。このＭｉｎｉＰＣＩスロット２０は、ＭｉｎｉＰＣＩ規格に準拠する１２４本のピン群を有するコネクタを備えたバススロットである。ＭｉｎｉＰＣＩスロット２０には、ＴＶキャプチャユニット１４０が接続されている。
【００２２】
ＴＶキャプチャユニット１４０は、ＭｉｎｉＰＣＩスロット２０に挿脱可能な、ＭｉｎｉＰＣＩ規格に準拠したカードもしくはボードとして実現されている。ＴＶキャプチャユニット１４０はＭｉｎｉＰＣＩスロット２０を介してＰＣＩバス２に接続され、ＣＰＵ１１１の制御下で、暗号化された放送番組データを受信する処理を実行する。
【００２３】
上記ＴＶキャプチャユニット１４０は、内蔵されるＴＶチューナの種類が互いに異なる２つのＰＣＩデバイスを有する。すなわち、ＰＣＩバス２との通信のためのインタフェース機能を有する２つのＰＣＩデバイスとして、例えば、地上デジタルＴＶ放送信号の受信が可能なデジタルＴＶチューナを有する１チップのＰＣＩデバイス（以下、「デジタルＴＶ用ＰＣＩデバイス」と称す。）１４１と、地上アナログＴＶ放送信号の受信が可能なアナログＴＶチューナを有する１チップのＰＣＩデバイス（以下、「アナログＴＶ用ＰＣＩデバイス」と称す。）１４２とが設けられている。デジタルＴＶ用ＰＣＩデバイス１４１およびアナログＴＶ用ＰＣＩデバイス１４２は、それぞれ外部のアンテナを介して放送番組データを得る。例えば、デジタルＴＶ用ＰＣＩデバイス１４１の場合は、デジタル放送信号を受信し、その受信したデジタル信号を復調することによってデジタル放送信号から所定のチャンネルの放送番組データに対応するトランスポートストリーム（ＴＳ）を取り出し、取り出したトランスポートストリームの暗号化を解除する復号処理（デスクランブル処理）を実行したりする。
【００２４】
エンベデッドコントローラ／キーボードコントローラＩＣ（ＥＣ／ＫＢＣ）１７０は、電力管理のためのエンベデッドコントローラと、キーボード（ＫＢ）１３およびタッチパッド１５を制御するためのキーボードコントローラとが集積された１チップマイクロコンピュータである。このＥＣ／ＫＢＣ１７０は、パワーボタンスイッチ１４がユーザによって押下された時、電源回路１８０と共同して本コンピュータ１０をパワーオンする。電源回路１８０は、バッテリ１８１、またはＡＣアダプタ１８２を介して供給される外部電源を用いて、本コンピュータ１０の各コンポーネントに供給すべきシステム電源を生成する。
【００２５】
次に、図３〜図６を参照して、上記デジタルＴＶ用ＰＣＩデバイス１４１および上記アナログＴＶ用ＰＣＩデバイス１４２の実装技術に関して説明する。
【００２６】
図３は、本実施形態による実装方式の一例を示している。これに対し、図４は、従来の実装方式の一例を示している。図５および図６は、ｍｉｎｉＰＣＩ規格に基づくピンアサイン表を示している。ピンアサイン表中、「MiniPCI Standard I/F」は、ｍｉｎｉＰＣＩ規格で定められている標準の信号割り当てを示しており、一方、「Extended MiniPCI I/F」は、本実施形態において１つのｍｉｎｉＰＣＩスロットで２つのＰＣＩデバイスを一緒に実装できるようにするために拡張された信号割り当てを示している（なお、図中の右矢印のマークは、「MiniPCI Standard I/F」における割り当てと同じであることを意味するものである）。
【００２７】
また、図３〜図６の各図の中には、説明の便宜上、信号の種別を示す丸数字の１，２，３が記載されている。丸数字の１は、複数のＰＣＩデバイスに共通して接続することが可能な信号線を示しており、丸数字の２は、デバイス毎にポイント・ツー・ポイント（１対１）で独立して接続しなければならない信号線を示している。丸数字の３は、デバイス毎にポイント・ツー・ポイント（１対１）で独立して接続しなければならない信号線であって、且つ、本実施形態で２つ目のＰＣＩデバイスの実装を実現するために標準ピンアサインにおける未使用ピンなどに割り当てられた信号線である。
【００２８】
図３に示されるように、本実施形態のＴＶキャプチャユニット１４０は、１枚の配線基板１４３上に、前述のデジタルＴＶ用ＰＣＩデバイス１４１およびアナログＴＶ用ＰＣＩデバイス１４２を実装して形成される。
【００２９】
上記配線基板１４３は、ＭｉｎｉＰＣＩスロット２０側の１２４本のピン群に対応するように設けられた１２４本の端子群と、これら端子群の一部とデジタルＴＶ用ＰＣＩデバイス１４１およびアナログＴＶ用ＰＣＩデバイス１４２とを接続する配線とを有する。当該配線は、ＭｉｎｉＰＣＩスロット２０に採用されているインタフェース規格（即ち、ｍｉｎｉＰＣＩ規格）のピンアサインにおいて特定の信号が割り当てられていない未使用ピンに対応する端子、もしくはＴＶチューナの動作に無関係の信号が割り当てられているピンに対応する端子と、デジタルＴＶ用ＰＣＩデバイス１４１およびアナログＴＶ用ＰＣＩデバイス１４２のいずれか一方（例えば、アナログＴＶ用ＰＣＩデバイス１４２）とを接続する信号線を含んでいる。
【００３０】
ところで、従来の技術では、情報処理装置においてダブルＴＶチューナを実現する場合、図４に示されるように、２つのｍｉｎｉＰＣＩスロットを設けると共に、これらのスロットに装着される２つのＴＶチューナカードを設ける。この場合、ＰＣＩバスと２つのｍｉｎｉＰＣＩスロットとの間には、各スロットに共通に接続される信号線（丸数字１で示されるアドレス／データ転送用バス（AD）、コマンド信号線（C/BE）、制御信号線（FRAME, DEVSEL, IRDY, TRDY, STOP）など）と、ポイント・ツー・ポイント（１対１）でスロットごとに独立して接続される二組の信号線（丸数字２で示される制御信号線（REQ, GNT, INT, IDSEL）、クロック信号線（CLK）など）とが設けられる。これに対応するように、各ＴＶチューナカードの配線基板上には、スロットに接続する端子群とＰＣＩデバイスとの間に、丸数字１のアドレス／データ転送用バス等や、丸数字２のクロック信号線、制御信号線などが並列に配設される。
【００３１】
ここで、ダブルＴＶチューナを１つのｍｉｎｉＰＣＩスロットで実現しようとすると、丸数字２で示される二組の信号線を両方とも１つのｍｉｎｉＰＣＩスロットに接続する必要が生じる。しかし、ＭｉｎｉＰＣＩの標準インターフェースでは、丸数字２の信号は１組しかアサインされておらず、ＰＣＩデバイスは基本的には１つしか接続することができない。
【００３２】
そこで、本実施形態では、２組目の丸数字２の信号線をＭｉｎｉＰＣＩの標準インターフェースにおける未使用ピン等に割り当てる。未使用ピン等に割り当てられた信号線は、図３中に示される丸数字３の信号線（制御信号線（REQ2, GNT2, INT2, IDSEL2）、クロック信号線（CLK2）など）に相当する。これにより、図３に示されるように、ＰＣＩバスと１つのｍｉｎｉＰＣＩスロット２０との間には、２つのＰＣＩデバイス１４１，１４２に共通する丸数字１の信号線と、ＰＣＩデバイス１４２に対応した丸数字２の信号線と、ＰＣＩデバイス１４１に対応した丸数字３の信号線とが設けられる。これに対応するように、ＴＶキャプチャユニット１４０の配線基板１４３上には、ｍｉｎｉＰＣＩスロット２０に接続する端子群とＰＣＩデバイス１４２との間に丸数字１の信号線および丸数字２の信号線が配設されると共に、ｍｉｎｉＰＣＩスロット２０に接続する端子群とＰＣＩデバイス１４１との間に丸数字１の信号線および丸数字３の信号線が配設される。この場合、丸数字１の信号線は、２つのＰＣＩデバイス１４１，１４２で共用される。
【００３３】
このようにハードウェア（配線基板１４３上の配線など）を工夫することにより、ソフトウェアの変更なしに、ダブルＴＶチューナを１つのｍｉｎｉＰＣＩスロットで実現することができる。
【００３４】
図５および図６のピンアサイン表に示されるように、丸数字３の信号線は、例えば、ピン番号「１７」、「２１」、「２２」、「３６」、「４３」に割り当てられる。
【００３５】
ピン番号「１７」には、「MiniPCI Standard I/F」においては「INTB#」が割り当てられているが、「Extended MiniPCI I/F」においては代わりに「INT2#」が割り当てられる。この場合、ピン番号「２０」の「INTA#」がＰＣＩデバイス１４２に使用されるのに対し、ピン番号「１７」の「INT2#」はＰＣＩデバイス１４１に使用される。
【００３６】
ピン番号「２１」には、「MiniPCI Standard I/F」においては「RESERVED」が割り当てられている（即ち、ピン番号「２１」は未使用である）が、「Extended MiniPCI I/F」においては代わりに「CLK2」が割り当てられる。この場合、ピン番号「２５」の「CLK」がＰＣＩデバイス１４２に使用されるのに対し、ピン番号「２１」の「CLK2」はＰＣＩデバイス１４１に使用される。
【００３７】
ピン番号「２２」には、「MiniPCI Standard I/F」においては「RESERVED」が割り当てられている（即ち、ピン番号「２２」は未使用である）が、「Extended MiniPCI I/F」においては代わりに「IDSEL2」が割り当てられる。この場合、ピン番号「４８」の「IDSEL」がＰＣＩデバイス１４２に使用されるのに対し、ピン番号「２２」の「IDSEL2」はＰＣＩデバイス１４１に使用される。
【００３８】
ピン番号「３６」には、「MiniPCI Standard I/F」においては「WCHCLK/RES」（無線ＬＡＮとBluetooth（登録商標）との間で生じる混信に起因する問題を解消するために送受される信号）が割り当てられているが、「Extended MiniPCI I/F」においては代わりに「GNT2#」が割り当てられる。この場合、ピン番号「３０」の「GNT#」がＰＣＩデバイス１４２に使用されるのに対し、ピン番号「３６」の「GNT2#」はＰＣＩデバイス１４１に使用される。
【００３９】
ピン番号「４３」には、「MiniPCI Standard I/F」においては「WCHDAT/RES」（無線ＬＡＮとBluetooth（登録商標）との間で生じる混信に起因する問題を解消するために送受される信号）が割り当てられているが、「Extended MiniPCI I/F」においては代わりに「REQ2#」が割り当てられる。この場合、ピン番号「２９」の「REQ#」がＰＣＩデバイス１４２に使用されるのに対し、ピン番号「４３」の「REQ2#」はＰＣＩデバイス１４１に使用される。
【００４０】
次に、図７を参照して、ＰＣＩの仕様に規定されているコンフィグレーションサイクルによる動作を説明する。
【００４１】
本コンピュータ１０の電源投入後などにおいて、ＯＳの制御のもとで、ＰＣＩホストによるコンフィグレーションサイクルが発生する（ステップＳ１１）。これにより、ＰＣＩバス上にある個々の「AD」および「C/BE#」を通じて、ＰＣＩバス２に接続されているＰＣＩデバイスの検出が行われる。
【００４２】
そして、上記コンフィグレーションサイクルに対して個々のＰＣＩデバイス（ＴＶキャプチャユニット１４３に実装されているＰＣＩデバイス１４１，１４２を含む）が応答する（ステップＳ１２）。
【００４３】
例えば、「IDSEL」が「AD26」に接続されているＰＣＩデバイスが応答すると、ＰＣＩホストは、その応答したＰＣＩデバイスからＩＤ等を取得して（ステップＳ１３）、ドライバインストールを開始し（ステップＳ１４）、そのＰＣＩデバイスに関する設定情報（例えば、メモリアドレス、ＩＯアドレスなど）の書込み処理を実行する（ステップＳ１５）。
【００４４】
このような動作の結果、例えばアプリケーションは、ＰＣＩバス２を通じてそのＰＣＩデバイスを利用できるようになる。
【００４５】
以上詳述したように本実施形態によれば、デジタルＴＶ用ＰＣＩデバイス１４１およびアナログＴＶ用ＰＣＩデバイス１４２を１つのＴＶキャプチャユニットに適切に実装することができるため、当該ユニットの高集積化を実現できる。また、このようなＴＶキャプチャユニットを１つのｍｉｎｉＰＣＩスロットに装着した状態で、ＰＣＩバス１０およびｍｉｎｉＰＣＩスロットを通じてデジタルＴＶ用ＰＣＩデバイス１４１およびアナログＴＶ用ＰＣＩデバイス１４２を問題なく動作させることができる。
【００４６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００４７】
【図１】本発明の一実施形態に係る情報処理装置の外観を示す斜視図。
【図２】図１の情報処理装置のシステム構成の一例を示すブロック図。
【図３】同実施形態によるデジタルＴＶ用ＰＣＩデバイスおよびアナログＴＶ用ＰＣＩデバイスの実装方式の一例を示す図。
【図４】従来技術によるデジタルＴＶ用ＰＣＩデバイスおよびアナログＴＶ用ＰＣＩデバイスの実装方式の一例を示す図。
【図５】ｍｉｎｉＰＣＩ規格に基づくピンアサイン表（前半部分）を示す図。
【図６】ｍｉｎｉＰＣＩ規格に基づくピンアサイン表（後半部分）を示す図。
【図７】ＰＣＩの仕様に規定されているコンフィグレーションサイクルによる動作を示すフローチャート。
【符号の説明】
【００４８】
２…ＰＣＩバス、１０…パーソナルコンピュータ、２０…バススロット、１４０…ＴＶキャプチャユニット、１４１…デジタルＴＶ用ＰＣＩデバイス、１４２…アナログＴＶ用ＰＣＩデバイス、１４３…配線基板。
【図１】
2008118206.tif 000003
【図２】
2008118206.tif 000004
【図３】
2008118206.tif 000005
【図４】
2008118206.tif 000006
【図５】
2008118206.tif 000007
【図６】
2008118206.tif 000008
【図７】
2008118206.tif 000009